(57)【特許請求の範囲】
【請求項１】
監視カメラのレンズを保護するレンズカバーであって、前記監視カメラの筐体を被覆するカバーと一体に形成して同監視カメラの筐体に着脱自在に被覆すると共に、前記監視カメラ本体から前記レンズに接続される制御ケーブルをクランプするクランプ部を設けたことを特徴とする監視カメラ用レンズカバー。
【請求項２】
前記レンズカバーが後方を開口されて成り、同開口部上端および下端に前記監視カメラの筐体後部コーナに係止する係止爪を設けたことを特徴とする請求項１記載の監視カメラ用レンズカバー。
【請求項３】
前記クランプ部が、前記レンズカバーの上面に前後方向に一方の側壁を開口する溝条を形成すると共に、同溝条の上方開口の両端より舌部を交互に延出して成り、同両舌部と同溝条の底部との間に前記制御ケーブルを挟持するようにしたことを特徴とする請求項１記載の監視カメラ用レンズカバー。
【発明の詳細な説明】
【０００１】
【発明の属する技術分野】
本発明は、監視カメラ用レンズカバーに係わり、特に着脱自在なものに関する。
【０００２】
【従来の技術】
従来、監視カメラ用レンズカバーは、図４に示すように、監視カメラ１の筐体のレンズ取付面等にねじ止めするようにしていた。
しかし、この構成では、レンズ３を交換する場合は、レンズカバー２を固定するねじ４０を外さなければならず、手間がかかるという問題があった。
また、バリフォーカルレンズのように、制御ケーブルを接続しなければならないようなレンズに交換する場合、制御ケーブルの引き出し、クランプ等ができず、専用のレンズカバーを用意しなければならないという問題もあった。
【０００３】
【発明が解決しようとする課題】
本発明は以上述べた問題点を解決し、監視カメラの筐体に着脱自在に取り付けるとともに、制御ケーブルを簡単に引き出してクランプすることにより、同制御ケーブルを監視カメラ本体に接続することのできる監視カメラ用レンズカバーを提供することを目的としている。
【０００４】
【課題を解決するための手段】
本発明は上述の課題を解決するため、監視カメラのレンズを保護するレンズカバーであって、前記監視カメラの筐体を被覆するカバーと一体に形成して同監視カメラの筐体に着脱自在に被覆すると共に、前記監視カメラ本体から前記レンズに接続される制御ケーブルをクランプするクランプ部を設けた監視カメラ用レンズカバーとしている。
【０００５】
前記レンズカバーが後方を開口されて成り、同開口部上端および下端に前記監視カメラの筐体後部コーナに係止する係止爪を設けた監視カメラ用レンズカバーとしている。
【０００６】
前記監視カメラの筐体底面に突起部を設ける一方、前記レンズカバーが後方を開口されて成り、同開口下端部に前記突起部に対応する係止孔を設けると共に、同開口上端部に前記監視カメラの筐体後部コーナに係止する係止爪を設けた監視カメラ用レンズカバーとしている。
【０００７】
前記レンズカバーに、前記監視カメラの筐体底面または天面に突出して備えるカメラマウントを嵌合する嵌合孔を設けた監視カメラ用レンズカバーとしている。
【０００８】
前記レンズカバーの、少なくとも前記レンズに対応する位置が透明に形成されて成る監視カメラ用レンズカバーとしている。
【０００９】
前記レンズカバーの、前記レンズに対応する位置以外が不透明に形成されて成る監視カメラ用レンズカバーとしている。
【００１０】
前記レンズカバーの、前記レンズに対応する位置以外にシボを設けて不透明に形成した監視カメラ用レンズカバーとしている。
【００１１】
前記クランプ部が、前記レンズカバーの上面に前後方向に一方の側壁を開口する溝条を形成すると共に、同溝条の上方開口の両端より舌部を交互に延出して成り、同両舌部と同溝条の底部との間に前記制御ケーブルを挟持するようにした監視カメラ用レンズカバー。
【００１２】
【発明の実施の形態】
以上のように、本発明の監視カメラ用レンズカバーにおいては、監視カメラの筐体を被覆するカバーと一体に形成して同監視カメラの筐体に着脱自在に被覆すると共に、前記監視カメラ本体から前記レンズに接続される制御ケーブルをクランプするクランプ部を設けたので、レンズ交換が簡単で、然もバリフォーカルレンズのように、制御ケーブルを接続しなければならないようなレンズに交換する場合であっても、制御ケーブルの処理が簡単にできる。
【００１３】
【実施例】
以下、図面に基づいて本発明による監視カメラ用レンズカバーを詳細に説明する。
図１は本発明による監視カメラ用レンズカバーの一実施例を示す一部透視斜視図、図２は要部側断面図である。
図において、１は監視カメラ、２は本発明のレンズカバーで、ＡＢＳまたはＰＳで形成されており、前記監視カメラ１に備えるレンズ３に対応する部分を透明にすると共に、これ以外の部分にシボを入れて不透明として、監視カメラ１の本体が外部から見えないようにしている。
この監視カメラ１の天面１ａには図示しないカメラスタンドを取り付けるためのカメラマウント４を備えており、また、底面１ｂ後部には突起１ｃが設けられいる。
そして、前記レンズカバー２は後方が開口されており、同開口下端部底面２ａには前記突起１ｃに対応する係止孔２ｃが形成されている。
また、前記開口上端部天面２ｂには前記監視カメラ１の後端部コーナに係止する係止爪２ｄを設けている。
また、前記天面２ｂには前記カメラマウント４を嵌合する嵌合孔２ｅを設けている。
また、前記天面２ｂには前後方向に長いケーブルクランプ５が設けられており、バリフォーカルレンズのように、制御ケーブル６を接続しなければならないようなレンズに交換した場合、その制御ケーブル６を引き出して、クランプすることができる。
【００１４】
図３は前記レンズカバー２の他の実施例を示す要部断面図である。
図に示すように、前記ケーブルクランプ５は、前記レンズカバー２の上面に前後方向に一方の側壁を開口する溝条５ａを形成すると共に、同溝条５ａの上方開口の両端より舌部５ｂ，５ｃを交互に延出して成り、同両舌部５ｂ，５ｃと同溝条５ａの底部５ａ１との間に前記制御ケーブル６を挟持するようにしている。
【００１５】
以上の構成において、つぎにその着脱方法を説明する。
まず、制御ケーブル６を有しない通常のレンズ３を備えた監視カメラ１に、レンズカバー２を被せるには、前記嵌合孔２ｅに前記カメラマウント４が嵌合されるようにレンズカバー２を監視カメラ１のレンズ３側から装着する。
そして、前記突起１ｃに係止孔２ｃを嵌合すると共に、前記係止爪２ｄを前記監視カメラ１の後端部コーナに係止することにより、レンズカバー２が監視カメラ１に固定される。
【００１６】
つぎに、制御ケーブル６を有するバリフォーカルレンズ３を備えた監視カメラ１に、レンズカバー２を被せるには、まず、バリフォーカルレンズ３の制御ケーブル６をケーブルクランプ５の溝条５ａの開口より挿入し、ついで、レンズカバー２を監視カメラ１のレンズ３側から前記嵌合孔２ｅに前記カメラマウント４が嵌合されるように装着した後、前記突起１ｃに係止孔２ｃを嵌合させ、前記係止爪２ｄを前記監視カメラ１の後端部コーナに係止させる。
次に、前記制御ケーブル６を適当な長さまで引き出して、同制御ケーブル６をケーブルクランプ５の溝条５ａの底面５ａ１と両舌部５ｂ，５ｃとの間にクランプした後、同制御ケーブル６の先端に備えるコネクタを監視カメラの背面に備えるコネクタに接続する。
【００１７】
【発明の効果】
以上説明したように、本発明による監視カメラ用レンズカバーによれば、監視カメラの筐体を被覆するカバーと一体に形成して同監視カメラの筐体に着脱自在に被覆すると共に、前記監視カメラ本体から前記レンズに接続される制御ケーブルをクランプするクランプ部を設けたので、レンズ交換が簡単で、然もバリフォーカルレンズのように、制御ケーブルを接続しなければならないようなレンズに交換する場合であっても、制御ケーブルの処理が簡単にできる。
【図面の簡単な説明】
【図１】本発明による監視カメラ用レンズカバーの一実施例を示す図で、（Ａ）は一部透視斜視図、（Ｂ）は分解斜視図である。
【図２】本発明による監視カメラ用レンズカバーの一実施例を示す要部側断面図である。
【図３】本発明による監視カメラ用レンズカバーの他の実施例を示す要部断面図である。
【図４】従来の監視カメラ用レンズカバーを示す要部断面図である。
【符号の説明】
１  監視カメラ
１ａ  天面
１ｂ  底面
１ｃ  突起
２  レンズカバー
２ａ  底面
２ｂ  天面
２ｃ  係止孔
２ｄ  係止爪
２ｅ  嵌合孔
３  レンズ
４  カメラマウント
５  ケーブルクランプ
５ａ  溝条
５ｂ，５ｃ  舌部
６  制御ケーブル
【図１】
0004253941.tif 000002
【図２】
0004253941.tif 000003
【図３】
0004253941.tif 000004
【図４】
0004253941.tif 000005